(57)【特許請求の範囲】
【請求項１】
物体側より像側へ順に、正の屈折力の第１レンズ群、負の屈折力の第２レンズ群、正の屈折力の第３レンズ群、１以上のレンズ群を含む後群を有し、
広角端に対して望遠端において前記第１レンズ群と前記第２レンズ群の間隔が増大し、前記第２レンズ群と前記第３レンズ群の間隔が減少し、前記第３レンズ群と前記後群の間隔が変化するように、ズーミングに際して隣り合うレンズ群の間隔が変化するズームレンズであって、
前記第１レンズ群は２つの正レンズと、１つの負レンズを有し、前記第２レンズ群は負レンズ、正レンズを有し、前記第１レンズ群を構成する正レンズのうち材料のアッベ数が最も大きい正レンズの材料のアッベ数をν１ｐ、前記第２レンズ群の１つの正レンズの材料の屈折率とアッベ数を各々Ｎ２ｐ、ν２ｐ、前記第１レンズ群の焦点距離をｆ１、前記第１レンズ群を構成する正レンズのうち材料のアッベ数が最も大きい正レンズの焦点距離をｆ１ｐとするとき、
８０．０＜ν１ｐ
１．０＜ｆ１ｐ／ｆ１＜１．６
ν２ｐ≦１７．８
１．９０＜Ｎ２ｐ
なる条件を満足することを特徴とするズームレンズ。
【請求項２】
広角端から望遠端へのズーミングにおける前記第１レンズ群の移動量をＭ１、広角端における全系の焦点距離をｆｗとするとき、
−６．５＜Ｍ１／ｆｗ＜−４．０
なる条件式を満足することを特徴とする請求項１に記載のズームレンズ。
【請求項３】
広角端から望遠端へのズーミングにおける前記第３レンズ群の移動量をＭ３、広角端における全系の焦点距離をｆｗとするとき、
−４．０＜Ｍ３／ｆｗ＜−２．７
なる条件を満足することを特徴とする請求項１または２に記載のズームレンズ。
【請求項４】
広角端における全系の焦点距離をｆｗとするとき、
７．０＜ｆ１／ｆｗ＜１０．０
なる条件を満足することを特徴とする請求項１乃至３のいずれか１項に記載のズームレンズ。
【請求項５】
前記第２レンズ群の焦点距離をｆ２、広角端における全系の焦点距離をｆｗとするとき、
１．２＜｜ｆ２｜／ｆｗ＜１．６
なる条件を満足することを特徴とする請求項１乃至４のいずれか１項に記載のズームレンズ。
【請求項６】
前記第３レンズ群の焦点距離をｆ３、広角端における全系の焦点距離をｆｗとするとき、
１．７＜ｆ３／ｆｗ＜４．６
なる条件を満足することを特徴とする請求項１乃至５のいずれか１項に記載のズームレンズ。
【請求項７】
前記第１レンズ群を構成する２つの正レンズの材料の屈折率の差をΔＮ１ｐとするとき、
０．１＜ΔＮ１ｐ＜０．４
なる条件を満足することを特徴とする請求項１乃至６のいずれか１項に記載のズームレンズ。
【請求項８】
前記第２レンズ群は、物体側から像側へ順に、屈折力の絶対値が物体側に比べて像側のレンズ面が大きく、像側に凹面を向けた負レンズＧ２ｎと物体側に凸面を向けた正レンズＧ２ｐを有し、前記負レンズＧ２ｎの像側のレンズ面から前記正レンズＧ２ｐの物体側のレンズ面までの光軸上の距離をｄ２、広角端における全系の焦点距離をｆｗとするとき、
０．５２＜ｄ２／ｆｗ＜１．００
なる条件を満足することを特徴とする請求項１乃至７のいずれか１項に記載のズームレンズ。
【請求項９】
前記第２レンズ群を構成するレンズの中で屈折力の絶対値が最も大きい負レンズの材料のアッベ数をν２ｎとするとき、
０．０２９＜（１／ν２ｐ−１／ν２ｎ）＜０．０５０
なる条件を満足することを特徴とする請求項１乃至８のいずれか１項に記載のズームレンズ。
【請求項１０】
請求項１乃至９のいずれか１項に記載のズームレンズと、該ズームレンズによって形成される像を受光する撮像素子を有することを特徴とする撮像装置。 
【発明の詳細な説明】
【技術分野】
【０００１】
本発明はズームレンズ及びそれを有する撮像装置に関し、例えばビデオカメラや電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は装置全体が小型化されている。そしてそれに用いる撮影光学系としてレンズ全長が短く、コンパクト（小型）で、高ズーム比（高変倍比）で、しかも高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。ポジティブリード型のズームレンズとして、物体側より像側へ順に、正、負、正、正の屈折力の４つのレンズ群より成るズームレンズが知られている（特許文献１）。
【０００３】
特許文献１では第１レンズ群の正レンズに低分散な材料を用いて望遠側において色収差の補正を良好に行っている。又、物体側より像側へ順に正、負、正、正、正の屈折力の５つのレンズ群より成るズームレンズが知られている（特許文献２）。又、物体側より像側へ順に正、負、正、負、正の屈折力の５つのレンズ群より成るズームレンズが知られている（特許文献３）。特許文献３ではズーム比１０程度のズームレンズを開示している。
【先行技術文献】
【特許文献】
【０００４】
【特許文献１】特開２００８−２０９７４１号公報
【特許文献２】特開２００７−２９２９９４号公報
【特許文献３】特開２００３−２５５２２８号公報
【発明の概要】
【発明が解決しようとする課題】
【０００５】
一般にズームレンズを所定のズーム比で全系を小型化するためには、ズームレンズを構成する各レンズ群の屈折力（光学的パワー＝焦点距離の逆数）を強めつつ、レンズ枚数を削減すれば良い。しかしながら、このようにしたズームレンズは、ズーミングに伴う収差変動が大きくなり、全ズーム範囲にわたり高い光学性能を得るのが難しくなる。特に前玉有効径が増大し、レンズ系全体の小型化が不十分になってくる。また、同時に望遠端における色収差などの諸収差の補正が困難になってくる。
【０００６】
前述した４群ズームレンズや５群ズームレンズにおいて、高ズーム比とレンズ系全体の小型化を図りつつ、良好な光学性能を得るには各レンズ群の屈折力やレンズ構成、そして各レンズ群のズーミングに伴う移動条件等を適切に設定することが重要となる。特に第１、第２レンズ群のレンズ構成やズーミングに際しての第１、第３レンズ群の移動条件等を適切に設定することが重要になってくる。これらの構成を適切に設定しないと、全系の小型化を図りつつ、高ズーム比で高い光学性能のズームレンズを得るのが難しくなってくる。
【０００７】
本発明は、光学系全体が小型で、高ズーム比で、しかも全ズーム範囲にわたり高い光学
性能が得られるズームレンズ及びそれを有する撮像装置の提供を目的とする。
【課題を解決するための手段】
【０００８】
本発明のズームレンズは、物体側より像側へ順に、正の屈折力の第１レンズ群、負の屈折力の第２レンズ群、正の屈折力の第３レンズ群、１以上のレンズ群を含む後群を有し、
広角端に対して望遠端において前記第１レンズ群と前記第２レンズ群の間隔が増大し、前記第２レンズ群と前記第３レンズ群の間隔が減少し、前記第３レンズ群と前記後群の間隔が変化するように、ズーミングに際して隣り合うレンズ群の間隔が変化するズームレンズであって、
前記第１レンズ群は２つの正レンズと、１つの負レンズを有し、前記第２レンズ群は負レンズ、正レンズを有し、前記第１レンズ群を構成する正レンズのうち材料のアッベ数が最も大きい正レンズの材料のアッベ数をν１ｐ、前記第２レンズ群の１つの正レンズの材料の屈折率とアッベ数を各々Ｎ２ｐ、ν２ｐ、前記第１レンズ群の焦点距離をｆ１、前記第１レンズ群を構成する正レンズのうち材料のアッベ数が最も大きい正レンズの焦点距離をｆ１ｐとするとき、
８０．０＜ν１ｐ
１．０＜ｆ１ｐ／ｆ１＜１．６
ν２ｐ≦１７．８
１．９０＜Ｎ２ｐ
なる条件を満足することを特徴としている。
【発明の効果】
【０００９】
本発明によれば、光学系全体が小型で、高ズーム比で、しかも全ズーム範囲にわたり高
い光学性能が得られるズームレンズが得られる。
【図面の簡単な説明】
【００１０】
【図１】（Ａ）、（Ｂ）、（Ｃ）  参考例の数値実施例１の広角端、中間のズーム位置、望遠端におけるレンズ断面図
【図２】（Ａ）、（Ｂ）、（Ｃ）  参考例の数値実施例１の広角端、中間のズーム位置、望遠端における収差図
【図３】（Ａ）、（Ｂ）、（Ｃ）  参考例の数値実施例２の広角端、中間のズーム位置、望遠端におけるレンズ断面図
【図４】（Ａ）、（Ｂ）、（Ｃ）  参考例の数値実施例２の広角端、中間のズーム位置、望遠端における収差図
【図５】（Ａ）、（Ｂ）、（Ｃ）  本発明の数値実施例３の広角端、中間のズーム位置、望遠端におけるレンズ断面図
【図６】（Ａ）、（Ｂ）、（Ｃ）  本発明の数値実施例３の広角端、中間のズーム位置、望遠端における収差図
【図７】（Ａ）、（Ｂ）、（Ｃ）  本発明の数値実施例４の広角端、中間のズーム位置、望遠端におけるレンズ断面図
【図８】（Ａ）、（Ｂ）、（Ｃ）  本発明の数値実施例４の広角端、中間のズーム位置、望遠端における収差図
【図９】（Ａ）、（Ｂ）、（Ｃ）  本発明の数値実施例５の広角端、中間のズーム位置、望遠端におけるレンズ断面図
【図１０】（Ａ）、（Ｂ）、（Ｃ）  本発明の数値実施例５の広角端、中間のズーム位置、望遠端における収差図
【図１１】本発明の撮像装置の要部概略図
【発明を実施するための形態】
【００１１】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、１以上のレンズ群を含む後群を有している。ズーミングに際しては広角端に対して望遠端において第１レンズ群と第２レンズ群の間隔が増大し、第２レンズ群と第３レンズ群の間隔が減少し、第３レンズ群と後群の間隔が変化する。
【００１２】
図１（Ａ）、（Ｂ）、（Ｃ）は、本発明の参考例１のズームレンズの広角端（短焦点距離端）、中間のズーム位置、望遠端（長焦点距離端）におけるレンズ断面図である。図２（Ａ）、（Ｂ）、（Ｃ）は参考例１のズームレンズの広角端、中間のズーム位置、望遠端における収差図である。参考例１はズーム比１３．３２、開口比３．２１〜６．０８のズームレンズである。
【００１３】
図３（Ａ）、（Ｂ）、（Ｃ）は、本発明の参考例２のズームレンズの広角端、中間のズーム位置、望遠端におけるレンズ断面図である。図４（Ａ）、（Ｂ）、（Ｃ）は参考例２のズームレンズの広角端、中間のズーム位置、望遠端における収差図である。参考例２はズーム比１１．４１、開口比３．４３〜５．７２のズームレンズである。
【００１４】
図５（Ａ）、（Ｂ）、（Ｃ）は、本発明の実施例１のズームレンズの広角端、中間のズーム位置、望遠端におけるレンズ断面図である。図６（Ａ）、（Ｂ）、（Ｃ）は実施例１のズームレンズの広角端、中間のズーム位置、望遠端における収差図である。実施例１はズーム比１３．８２、開口比３．３６〜６．０９のズームレンズである。
【００１５】
図７（Ａ）、（Ｂ）、（Ｃ）は、本発明の実施例２のズームレンズの広角端、中間のズーム位置、望遠端におけるレンズ断面図である。図８（Ａ）、（Ｂ）、（Ｃ）は実施例２のズームレンズの広角端、中間のズーム位置、望遠端における収差図である。実施例２はズーム比１３．５４、開口比３．３７〜６．０９のズームレンズである。
【００１６】
図９（Ａ）、（Ｂ）、（Ｃ）は、本発明の実施例３のズームレンズの広角端、中間のズーム位置、望遠端におけるレンズ断面図である。図１０（Ａ）、（Ｂ）、（Ｃ）は実施例３のズームレンズの広角端、中間のズーム位置、望遠端における収差図である。実施例３はズーム比１２．２７、開口比３．５０〜５．９７のズームレンズである。
【００１７】
図１１は本発明のズームレンズを備えるカメラ（撮像装置）の要部概略図である。各実施例のズームレンズはビデオカメラやデジタルカメラ、そして銀塩フィルムカメラ等の撮像装置に用いられる撮影レンズ系である。レンズ断面図において、左方が物体側、右方が像側である。またｉは物体側から像側への各レンズ群の順序を示し、Ｌｉは第ｉレンズ群である。Ｌｒは１以上のレンズ群を含む後群である。
【００１８】
図１、図５、図７の参考例１、実施例１、２のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群である。後群Ｌｒは負の屈折力の第４レンズ群Ｌ４、正の屈折力の第５レンズ群Ｌ５より成っている。参考例１、実施例１、２はポジティブリード型の５群ズームレンズである。
【００１９】
図３の参考例２のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４より成っている。参考例２はポジティブリード型の４群ズームレンズである。
【００２０】
図９の実施例３のレンズ断面図においてＬ１は正の屈折力の第１レンズ群、Ｌ２は負の屈折力の第２レンズ群、Ｌ３は正の屈折力の第３レンズ群である。後群Ｌｒは正の屈折力の第４レンズ群Ｌ４、正の屈折力の第５レンズ群Ｌ５より成っている。実施例３はポジティブリード型の５群ズームレンズである。各レンズ断面図においてＳＰは開放Ｆナンバー（Ｆｎｏ）光束を決定（制限）する開口絞りの作用をするＦナンバー決定部材（以下「開口絞り」ともいう。）である。
【００２１】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。球面収差図において、実線のｄはｄ線、２点鎖線のｇはｇ線を示す。非点収差図において点線のΔＭはメリディオナル像面、実線のΔＳはサジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【００２２】
各実施例のズームレンズでは、第１レンズ群Ｌ１と第２レンズ群Ｌ２の屈折力をある程度強めることで広角端において第１レンズ群Ｌ１と開口絞りＳＰの距離を小さくしている。これにより第１レンズ群Ｌ１のレンズ径の小型化が図っている。また第３レンズ群Ｌ３の屈折力をある程度強めることで開口絞りＳＰから像面ＩＰまでの距離を小さく（短く）している。これにより広角端におけるレンズ全長（第１レンズ面から像面までの長さ）を短縮している。
【００２３】
各実施例のズームレンズでは、広角端から望遠端へのズーミングに際して第１レンズ群Ｌ１を物体側に移動させ、広角端よりも望遠端において第１レンズ群Ｌ１と第２レンズ群Ｌ２の間隔を広げる（増大）ことで変倍作用を得ている。さらに広角端から望遠端へのズーミングに際して第３レンズ群Ｌ３を物体側に移動させ広角端よりも望遠端において第２レンズ群Ｌ２と第３レンズ群Ｌ３の間隔を狭める（減少）ことで変倍作用を得ている。
【００２４】
このように変倍作用を複数の箇所（レンズ群）で分担することにより高ズーム比としながら変倍のための各レンズ群の移動ストロークが短縮されるとともに望遠端においてレンズ全長を短縮している。変倍に伴うピント変動は最も像側のレンズ群が物体側へ凸状の軌跡を描いて移動することで補正している。フォーカシングについては第１レンズ群Ｌ１もしくは最も像側のレンズ群を物体側に移動させることで無限遠物体から近距離物体への合焦を行っている。
【００２５】
図１、図５、図７、図９の５群ズームレンズでは望遠端において無限遠物体から近距離物体へフォーカスを行う場合には各レンズ断面図の矢印５ｃに示すように第５レンズ群Ｌ５を前方に繰り出すことによって行っている。第５レンズ群Ｌ５に関する実線の曲線５ａと点線の曲線５ｂは各々無限遠物体と近距離物体にフォーカスしているときの広角端から望遠端へのズーミングに伴う際の像面変動を補正するための移動軌跡を示している。
【００２６】
図３の参考例２では望遠端において無限遠物体から近距離物体へフォーカスを行う場合にはレンズ断面図の矢印４ｃに示すように第４レンズ群Ｌ４を前方に繰り出すことによって行っている。第４レンズ群Ｌ４に関する実線の曲線４ａと点線の曲線４ｂは各々無限遠物体と近距離物体にフォーカスしているときの広角端から望遠端へのズーミングに伴う際の像面変動を補正するための移動軌跡を示している。
【００２７】
各実施例では第１レンズ群Ｌ１は２つの正レンズと、１つの負レンズを有している。第２レンズ群Ｌ２は負レンズ、正レンズを有している。第１レンズ群Ｌ１に含まれる正レンズのうち、材料のアッベ数が最も大きい正レンズＧ１ｐの材料のアッベ数をν１ｐとする。第２レンズ群Ｌ２の１つの正レンズの材料の屈折率とアッベ数を各々Ｎ２ｐ、ν２ｐとする。第１レンズ群Ｌ１の焦点距離をｆ１、第１レンズ群Ｌ１の正レンズのうち材料のアッベ数が最も大きい正レンズＧ１ｐの焦点距離をｆ１ｐとする。このとき、
８０．０＜ν１ｐ・・・・・・・・・・（１）
１．０＜ｆ１ｐ／ｆ１＜１．６・・・・（２）
ν２ｐ≦１７．８・・・・・・・・・・（３）
１．９０＜Ｎ２ｐ・・・・・・・・・・（４）
なる条件を満足している。
【００２８】
条件式（１）は第１レンズ群Ｌ１の含まれる正レンズのうち、材料のアッベ数が最も大きい正レンズＧ１Ｐの材料のアッベ数を規定する式である。条件式（１）の下限を超えてアッベ数が小さすぎると、すなわち分散が大きいと望遠側において軸上色収差と倍率色収差を良好に補正するのが困難となる。条件式（１）を満足するようなアッベ数が８０を越える低分散材料は部分分散比が大きい傾向があるため望遠側において二次スペクトルを良好に補正する効果も有する。このような効果を得るためにも条件式（１）の下限を超えないことが好ましい。
【００２９】
条件式（２）は第１レンズ群Ｌ１の正レンズのうち、材料のアッベ数が最も大きい正レンズＧ１Ｐの焦点距離を規定する式である。条件式（２）の上限を超えて正レンズＧ１Ｐの焦点距離が大きすぎると、すなわち屈折力が弱すぎると、正レンズＧ１Ｐに低分散材料を用いても望遠側において軸上色収差と倍率色収差を良好に補正するのが困難になる。また条件式（２）の下限を超えて正レンズＧ１Ｐの焦点距離が小さすぎると、すなわち屈折力がきつすぎると正レンズＧ１Ｐより望遠側において球面収差が多く発生してくるので良くない。
【００３０】
条件式（３）は第２レンズ群Ｌ２に含まれる１つの正レンズＧ２Ｐのアッベ数を規定する式である。上限を越えるとすなわち分散が小さいと第２レンズ群Ｌ２中の負レンズの材料とのアッベ数の差を十分取ることができず色消しに必要な各レンズの屈折力が強まってしまう。結果として第２レンズ群Ｌ２が大型化してくる。また広角側において歪曲収差、像面彎曲、望遠側において球面収差が多く発生してくるので良くない。
【００３１】
条件式（４）は第２レンズ群Ｌ２に含まれる１つの正レンズＧ２Ｐの材料の屈折率を規定する式である。下限を越えて屈折率が小さすぎると所望の屈折力を得るためのレンズ面の曲率がきつくなりレンズ厚みが増大してくるので良くない。またペッツバール和が正の方向に大きくなりすぎ像面彎曲が多く発生してくるので良くない。第２レンズ群Ｌ２の小型化と諸収差の補正を良好に行うには条件式（３）、（４）をともに満足するのが好ましい。各実施例において更に好ましくは条件式（１）乃至（４）の数値を次の如く設定するのが良い。
【００３２】
８１．０＜ν１ｐ・・・・・・・・・・・・・・（１ａ）
１．０００＜ｆ１ｐ／ｆ１＜１．５９５・・・・（２ａ）
ν２ｐ≦１７．８・・・・・・・・・・・・・・（３ａ）
１．９２＜Ｎ２ｐ・・・・・・・・・・・・・・（４ａ）
以上のように各実施例によれば、ズーム比が１２程度以上の高ズーム比としながら前玉有効径の小型化を容易とし、望遠側において色収差を良好の補正したズームレンズが得られる。各実施例において、更に好ましくは次の諸条件のうち１以上を満足するのが良い。
【００３３】
第１レンズ群Ｌ１と第３レンズ群Ｌ３の広角端から望遠端へのズーミングにおける移動量を各々Ｍ１、Ｍ３とする。広角端における全系の焦点距離をｆｗとする。第２レンズ群Ｌ２と第３レンズ群Ｌ３の焦点距離を各々ｆ２、ｆ３とする。第１レンズ群Ｌ１の２つの正レンズの材料の屈折率の差をΔＮ１ｐとする。第２レンズ群Ｌ２は物体側から像側へ順に、屈折力の絶対値が物体側に比べ像側のレンズ面が大きく、像側に凹面を向けた負レンズと物体側に凸面を向けた正レンズを有している。そして負レンズの像側のレンズ面から正レンズの物体側のレンズ面までの光軸上の距離をｄ２とする。第２レンズ群Ｌ２に含まれる屈折力の絶対値が最も大きい負レンズの材料のアッベ数をν２ｎとする。このとき、    −６．５＜Ｍ１／ｆｗ＜−４．０・・・・・・・・・・・・・（５）
−４．０＜Ｍ３／ｆｗ＜−２．７・・・・・・・・・・・・・（６）
７．０＜ｆ１／ｆｗ＜１０．０・・・・・・・・・・・・・・（７）
１．２＜｜ｆ２｜／ｆｗ＜１．６・・・・・・・・・・・・・（８）
１．７＜ｆ３／ｆｗ＜４．６・・・・・・・・・・・・・・・（９）
０．１＜ΔＮ１ｐ＜０．４・・・・・・・・・・・・・・・（１０）
０．５２＜ｄ２／ｆｗ＜１．００・・・・・・・・・・・・（１１）
０．０２９＜（１／ν２ｐ−１／ν２ｎ）＜０．０５０・・（１２）
なる条件のうち１以上を満足するのが良い。ここで移動量Ｍ１，Ｍ３は広角端に比べ望遠端での光軸方向の像面に対する各レンズ群の位置の差であり、符号は物体側に位置するときを負、像側に位置するときを正とする。
【００３４】
次に前述の各条件式の技術的意味について説明する。条件式（５）は第１レンズ群Ｌ１のズーミングに伴う移動量を規定する式である。条件式（５）の上限を超えてズーミングの際の物体側への移動量が小さすぎると変倍作用が弱まる。第１レンズ群Ｌ１の屈折力を強めてこのときの変倍作用を補おうとすると望遠側において球面収差が多く発生してくる。また第２レンズ群Ｌ２の屈折力を強めて変倍作用を補おうとすると広角側において像面彎曲、望遠側において球面収差が多く発生してくる。条件式（５）の下限を超えてズーミングの際の物体側への移動量が大きすぎると望遠端においてレンズ全長が増大し、全系の小型化が困難になる。
【００３５】
条件式（６）は第３レンズ群Ｌ３のズーミングの際の移動量を規定する式である。条件式（６）の上限を超えてズーミングの際の物体側への移動量が小さすぎると、変倍作用が弱まる。第１レンズ群Ｌ１の屈折力を強めてこのときの変倍作用を補おうとすると望遠側において球面収差が多く発生してくる。また第２レンズ群の屈折力を強めて変倍作用を補おうとすると広角側において像面彎曲、望遠側において球面収差が多く発生してくる。条件式（６）の下限を超えて物体側への移動量が大きすぎると第３レンズ群Ｌ３とともに移動する開口絞りＳＰの移動も大きくなる。これにより変倍に伴う開放Ｆナンバーの変化が大きくなり望遠端のＦナンバーが暗くなるので良くない。画素ピッチの小さい固体撮像素子を用いる場合には撮影レンズには高周波のＭＴＦが高いことが求められる。開放Ｆナンバーが暗いと回折の影響によりＭＴＦを上げることが困難となるので良くない。
【００３６】
条件式（７）は第１レンズ群Ｌ１の焦点距離すなわち屈折力を規定する式である。条件式（７）の上限を超えて屈折力が弱すぎると変倍作用が弱まる。第１レンズ群Ｌ１のズーミングの際の移動量を増やしてこのときの変倍作用を補おうとすると望遠端においてレンズ全長が増大してくる。また第３レンズ群Ｌ３の屈折力を強めて変倍作用を補おうとすると球面収差、コマ収差、軸上色収差等の諸収差の発生が多くなってくる。このときの諸収差の補正のためにレンズ枚数を増加するとレンズ群の厚みが増大し小型化が困難となる。条件式（７）の下限を超えて屈折力が強すぎると第１レンズ群Ｌ１より望遠側において球面収差が多く発生してくる。このときの収差補正のためにレンズ枚数を増加すると第１レンズ群が大型化し、前玉径が増大するので好ましくない。
【００３７】
条件式（８）は第２レンズ群Ｌ２の焦点距離すなわち屈折力を規定する式である。条件式（８）の上限を超えて屈折力が弱すぎると第２レンズ群Ｌ２の変倍作用が薄れ所望の変倍比を得るのが困難になる。また条件式（８）の下限を超えて屈折力が強すぎると第２レンズ群Ｌ２より広角側において像面彎曲、望遠側において球面収差が多く発生してくる。
【００３８】
条件式（９）は第３レンズ群Ｌ３の焦点距離すなわち屈折力を規定する式である。条件式（９）の上限を超えて屈折力が弱すぎると第３レンズ群Ｌ３の変倍作用が薄れ所望の変倍比を得るのが困難になる。また条件式（９）の下限を超えて屈折力が強すぎると第３レンズ群Ｌ３より球面収差、コマ収差、軸上色収差が多く発生してくる。
【００３９】
条件式（１０）は第１レンズ群Ｌ１に含まれる２枚の正レンズの材料の屈折率の差を規定する式である。条件式（１０）の上限を越えて屈折率の差が大きすぎると一方の正レンズの屈折率が大きすぎる場合に相当する。一般に高屈折率な材料はアッベ数の小さい高分散な材料となる。このため上限を越えると高分散すぎて望遠側において軸上色収差、倍率色収差が多く発生してくる。また条件式（１０）の下限を超えて屈折率の差が小さすぎると２枚の正レンズがともに屈折率が低い場合に相当する。第１レンズ群Ｌ１の屈折力をある程度強めようとすると２枚の正レンズで分担しても望遠側において球面収差が多く発生してくる。
【００４０】
条件式（１１）は第２レンズ群Ｌ２の像側に凹面を向けた負レンズの像側のレンズ面から物体側に凸面を向けた正レンズの物体側レンズ面までの光軸上の距離を規定する式である。第２レンズ群Ｌ２は負の屈折力のレンズ群が先行するレトロフォーカス型の屈折力配置として広角化と小型化を図っている。この屈折力配置は負レンズの像側に向けた凹面と正レンズの物体側の向けた凸面の配置に強く依存する。ある程度距離を小さくした上で各レンズ面の屈折力を強めに設定すると広角化と小型化が容易となる。条件式（１１）の上限を越えて間隔が大きすぎると第２レンズ群Ｌ２の光軸方向の厚みが増し、第２レンズ群Ｌ２が大型化するので良くない。第２レンズ群Ｌ２が大型化すると第１レンズ群Ｌ１と開口絞りＳＰとの間隔が増大し前玉有効径が大型化してくる。条件式（１１）の下限を超えて間隔が小さすぎると小型化が容易となるが、各レンズ面の屈折力が強くなりすぎて広角側において歪曲収差、像面彎曲、望遠側において球面収差が多く発生してくる。
【００４１】
条件式（１２）は第２レンズ群Ｌ２の負レンズのうち屈折力の絶対値が最も大きい負レンズＧ２ｎと正レンズＧ２ｐの材料のアッベ数の逆数の差を規定する式である。アッベ数の逆数の差が大きいほど色消しのために必要な各レンズの屈折力は小さくてすむ。条件式（１２）の上限を越えてアッベ数の逆数の差が大きすぎるのは正レンズＧ２ｐの材料が高分散すぎる場合である。一般に高分散材料は部分分散比が大きくなる。上限を越える場合は正レンズＧ２ｐの材料の部分分散比が大きすぎて望遠側において二次スペクトルが増大してくる。また条件式（１２）の下限を超えてアッベ数の逆数の差が小さすぎる場合は色消しのために必要な各レンズの屈折力が大きくなりすぎ、広角側において歪曲収差、像面彎曲、望遠側において球面収差が多く発生してくる。
【００４２】
各実施例において、更に好ましくは条件式（６）〜（１２）の数値範囲を次の如く設定するのが良い。
【００４３】
−３．８＜Ｍ３／ｆｗ＜−３．０・・・・・・・・・・・・・（６ａ）
７．４＜ｆ１／ｆｗ＜９．０・・・・・・・・・・・・・・・（７ａ）
１．３＜｜ｆ２｜／ｆｗ＜１．５・・・・・・・・・・・・・（８ａ）
１．８＜ｆ３／ｆｗ＜４．５・・・・・・・・・・・・・・・（９ａ）
０．１０３＜ΔＮ１ｐ＜０．３６０・・・・・・・・・・・（１０ａ）
０．５６＜ｄ２／ｆｗ＜０．９５・・・・・・・・・・・・（１１ａ）
０．０３０＜（１／ν２ｐ−１／ν２ｎ）＜０．０４５・・（１２ａ）
参考例１、２、実施例１乃至３のズームレンズの特徴について説明する。図１、図５、図７の参考例１、実施例１、２のズームレンズでは、広角端から望遠端のズーム位置へのズーミングに際して、次の如く各レンズ群間隔を変化させている。即ち、第１レンズ群Ｌ１と第２レンズ群Ｌ２との間隔が広がるよう、第２レンズ群Ｌ２と第３レンズ群Ｌ３との間隔が狭まるよう、第３レンズ群Ｌ３と第４レンズ群Ｌ４との間隔が変化するようにしている。更に第４レンズ群Ｌ４と第５レンズ群Ｌ５の間隔が広がるように各レンズ群が移動している。
【００４４】
図１、図５、図７の参考例１、実施例１、２のズームレンズでは、広角端と比べて望遠端にて、第１レンズ群Ｌ１、第３レンズ群Ｌ３、第４レンズ群Ｌ４は物体側に位置している。また第２レンズ群Ｌ２は像側に凸状の軌跡で、第５レンズ群Ｌ５は物体側に凸状の軌跡を描いて移動している。図１、図５、図７の参考例１、実施例１、２のズームレンズではＦナンバー決定部材ＳＰは、光軸方向に関して、第３レンズ群Ｌ３内に配置している。開口絞りＳＰをこのように配置することにより望遠端における第２レンズ群Ｌ２と第３レンズ群Ｌ３の間隔が詰められるため、ズーミングのための第２レンズ群Ｌ２と第３レンズ群Ｌ３との間隔変化量を十分確保することができる。これにより高ズーム比のズームレンズを達成している。更に図１、図５、図７の参考例１、実施例１、２のズームレンズでは広角端よりも望遠端において第３レンズ群Ｌ３と第４レンズ群Ｌ４との間隔を広げることで更なる変倍作用を得ている。
【００４５】
図３の参考例２のズームレンズでは、広角端から望遠端のズーム位置へのズーミングに際して、次の如く各レンズ群間隔を変化させている。即ち第１レンズ群Ｌ１と第２レンズ群Ｌ２との間隔が広がるよう、第２レンズ群Ｌ２と第３レンズ群Ｌ３との間隔が狭まるよう、第３レンズ群と第４レンズ群Ｌ４の間隔が広がるように各レンズ群が移動している。図３の参考例２のズームレンズでは、広角端と比べて望遠端にて、第１レンズ群Ｌ１、第３レンズ群Ｌ３は物体側に位置している。また第２レンズ群Ｌ２は像側に凸状の軌跡で、第４レンズ群Ｌ５は物体側に凸状の軌跡を描いて移動している。図３の参考例２のズームレンズではＦナンバー決定部材ＳＰは、光軸方向に関して、第３レンズ群Ｌ３の物体側に配置している。  図９の実施例３のズームレンズでは、広角端から望遠端のズーム位置へのズーミングに際して、次の如く各レンズ群間隔を変化させている。即ち、第１レンズ群Ｌ１と第２レンズ群Ｌ２との間隔が広がるよう、第２レンズ群Ｌ２と第３レンズ群Ｌ３との間隔が狭まるよう、第３レンズ群Ｌ３と第４レンズ群Ｌ４の間隔が狭まるようにしている。更に第４レンズ群Ｌ４と第５レンズ群Ｌ５との間隔は広がるように各レンズ群が移動している。
【００４６】
図９の実施例３のズームレンズでは、広角端と比べて望遠端にて、第１レンズ群Ｌ１、第３レンズ群Ｌ３、第４レンズ群Ｌ４は物体側に位置している。また第２レンズ群Ｌ２は像側に凸状の軌跡で、第５レンズ群Ｌ５は物体側に凸状の軌跡を描いて移動している。図９の実施例３のズームレンズではＦナンバー決定部材ＳＰは、光軸方向に関して、第３レンズ群Ｌ３の物体側に配置している。図９の実施例３のズームレンズでは広角端よりも望遠端において第３レンズ群Ｌ３と第４レンズ群Ｌ４との間隔を狭めることで更なる変倍作用を得ている。
【００４７】
各実施例では以上のような構成とすることで広角端および望遠端においてレンズ全長を短縮しつつ高ズーム比化を図っている。なお各実施例では任意のレンズ群を光軸に対して垂直な方向の成分を持つように移動させて像位置を移動し、手ぶれ補正を行うようにしても良い。
【００４８】
次に各レンズ群のレンズ構成について説明する。第１レンズ群Ｌ１は物体側より像側へ順に、負（負の屈折力の）レンズ１１と正（正の屈折力の）レンズ１２で構成された接合レンズ１４、物体側に凸面を向けたメニスカス形状の正レンズで１３構成している。各実施例では小型で高ズーム比のズームレンズを得るために第１レンズ群Ｌ１の屈折力をある程度強めている。このとき第１レンズ群Ｌ１で諸収差が多く発生する。特に望遠側において球面収差が多く発生してくる。各実施例では第１レンズ群Ｌ１の正の屈折力を接合レンズ１４と正レンズ１３で分担しこれら諸収差の発生を低減している。
【００４９】
更に正レンズ１２にアッベ数が８０を越える低分散な材料を用いている。これにより望遠側において軸上色収差と倍率色収差を良好に補正している。なお、正レンズ１２はある程度屈折力を強めることで低分散の効果を高めている。望遠側において球面収差を補正する点では第１レンズ群L１の正レンズを屈折率の高い材料で構成することが好ましい。一般に低分散な材料は屈折率が低いため正レンズ１２を低分散材料とすると屈折率を高くすることができない。よって各実施例のズームレンズでは正レンズ１３に正レンズ１２の材料よりも高い屈折力の材料を用いて望遠側において球面収差の発生を低減している。第１レンズ群Ｌ１を以上の様なレンズ構成とすることで高ズーム比を確保しつつ望遠側において色収差を良好に補正している。
【００５０】
第２レンズ群Ｌ２は物体側より像側へ順に、屈折力の絶対値が物体側へ比べ像側のレンズ面が大きく、像側に凹面を向けた負レンズ２１、負レンズ２２、物体側に凸面を向けた正レンズ２３で構成している。各実施例では広角端において広い画角を得ながら第１レンズ群Ｌ１を小型化するために第２レンズ群Ｌ２の屈折力をある程度強めている。このとき第２レンズ群Ｌ２で発生する諸収差、特に広角側において像面彎曲、望遠側において球面収差が多く発生してくる。そこで各実施例では第２レンズ群Ｌ２の負の屈折力を負レンズ２枚で分担しこれらの諸収差の発生を低減している。このようなレンズ構成により広角化を図りながら前玉の小型化と高性能化を図っている。
【００５１】
更に正レンズ２３にアッベ数が１７．８より小さい高分散な材料を用いることで色消しのために必要な第２レンズ群Ｌ２の各レンズの屈折力をなるべく小さく抑えている。これにより第２レンズ群Ｌ２のレンズ枚数を抑え全系の小型化を図っている。また正レンズ２３に高分散な材料を用いることで広角端から望遠端に至る倍率色収差の変動を軽減している。第２レンズ群Ｌ２を以上の様なレンズ構成とすることで第２レンズ群Ｌ２の屈折力を強めながら全系の小型化と色収差の補正を良好に行っている。特に第２レンズ群Ｌ２が小型化されると第１レンズ群Ｌ１と絞りＳＰとの距離が短縮されるため前玉径の小型化が容易になる。第３レンズ群Ｌ３を図１、図３、図５、図７の参考例１、２、実施例１、２では物体側より像側へ順に、物体側に凸面を向けた正レンズ３１、像側に凹面を向けた負レンズ３２、正レンズ３３で構成している。
【００５２】
各実施例では第３レンズ群Ｌ３の変倍作用を強めるとともに広角端においてレンズ全長を短縮するために第３レンズ群Ｌ３の屈折力をある程度強めている。このとき第３レンズ群Ｌ３で発生する諸収差、特にズーム全域において球面収差、コマ収差、軸上色収差が多く発生してくる。そこで各実施例では第３レンズ群Ｌ３の正の屈折力を２つの正レンズで分担することにより、これら諸収差の発生を低減している。各実施例では２枚の正レンズと１枚の負レンズにて第３レンズ群Ｌ３を構成している。
【００５３】
第３レンズ群Ｌ３を図９の実施例３では物体側より像側へ順に、物体側に凸面を向けた正レンズ３１、像側に凹面を向けた負レンズ３２で構成している。図９の実施例３は第４レンズ群Ｌ４を正の屈折力として第３レンズ群Ｌ３の正の屈折力を弱めている。これにより図９の実施例３では第３レンズ群Ｌ３に含まれる正レンズは１枚としている。第４レンズ群Ｌ４を図１、図５、図７の参考例１、実施例１、２では負レンズ４１のみで構成している。各実施例では少ない構成レンズ枚数で第４レンズ群Ｌ４を構成することで薄型化、軽量化を図っている。第４レンズ群Ｌ４を図３の参考例２では正レンズ４１１と負レンズ４１２とを接合した接合レンズ４１３で構成している。これによって、屈折力を強めたときでもズーミングの際の色収差の変動を軽減している。第４レンズ群Ｌ４を図９の実施例３では正レンズ４２１のみで構成している。各実施例では少ない構成レンズ枚数で第４レンズ群を構成することで薄型化、軽量化を図っている。
【００５４】
第５レンズ群Ｌ５を図１、図５、図７、図９の参考例１、実施例１、２、３では物体側より像側へ順に、正レンズ５１、負レンズ５２で構成された接合レンズ５３で構成している。接合レンズとすることで各レンズ群の屈折力をある程度強めた場合でも変倍全域にて倍率色収差の発生を良好に抑えている。
【００５５】
次に参考例１、２と実施例１乃至３に対応する数値実施例１乃至５を示す。各数値実施例において、ｉは物体側からの光学面の順序を示す。数値実施例においてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のガラスのｄ線に対する屈折率、アッベ数である。数値実施例において最後の２つの面は、フィルター、フェースプレート等の光学ブロックの面である。非球面形状は光軸方向にＸ軸、光軸と垂直方向にＨ軸、光の進行方向を正としＲを近軸曲率半径、Kを円錐定数、A4，A6，A8，A10を各々非球面係数としたとき
【００５６】
【数１】
0005538873.tif 000002
【００５７】
なる式で表している。また、［e+X］は［×10＋ｘ］を意味し、［e-X］は［×10−ｘ］を意味している。画角は半画角（度）を示している。ＢＦはレンズ最終面から近軸像面までの距離（バックフォーカス）を空気換算したものである。レンズ全長はレンズ最前面からレンズ最終面までの距離にバックフォーカスＢＦを加えたものである。非球面は面番号の後に*を付加して示す。前述の各条件式と数値実施例における諸数値の関係を表１に示す。
【００５８】
［数値実施例１］
単位 mm
面データ
面番号       r        d      nd         νd
1         47.198    0.90   1.84666    23.9           
2         28.488    2.50   1.49700    81.5           
3        539.546    0.20                             
4         27.858    1.95   1.69680    55.5           
5        130.634  (可変)                             
6       -142.993    1.03   1.85135    40.1           
7*         5.724    2.27                             
8        -32.718    0.60   1.80400    46.6           
9         20.754    0.20                             
10         10.630    1.40   1.94595    18.0           
11         41.156  (可変)                             
12*         7.790    1.40   1.58313    59.4           
13*       -42.498    0.92                             
14(絞り)    ∞       1.48                             
15         14.621    0.60   1.94595    18.0           
16          7.752    0.51                             
17         38.232    1.45   1.60311    60.6           
18        -10.112  (可変)                             
19        -22.588    0.50   1.48749    70.2           
20         23.874  (可変)                             
21         15.072    2.00   1.69680    55.5           
22        -42.895    0.60   1.72825    28.5           
23        240.459  (可変)                             
24          ∞       0.80   1.51633    64.1           
25          ∞       0.90                             
像面        ∞   
非球面データ
第7面
K =-1.12918e+000  A 4= 7.09263e-004  A 6= 1.64697e-005  A 8=-3.81294e-007  A10= 1.79401e-008  
第12面
K =-1.22101e+000  A 4= 4.95648e-005  A 6= 7.55352e-006  A 8= 3.03893e-006  A10=-1.83896e-007  
第13面
K =-1.36363e+002  A 4= 9.00236e-007  A 6= 2.00697e-005  A 8= 2.20070e-006  A10=-1.36759e-007  
各種データ
ズーム比     13.32 
広角     中間     望遠
焦点距離       5.12    17.53    68.25  
Fナンバー      3.21     4.62     6.08  
画角          33.04    12.46     3.25  
像高           3.33     3.88     3.88  
レンズ全長    48.61    56.13    75.70  
BF             6.95    13.90     7.26  
d 5            0.95    11.54    25.33  
d11           15.79     4.21     0.71  
d18            1.90     2.57     3.04  
d20            2.51     3.39    18.85  
d23            5.52    12.48     5.84  
ズームレンズ群データ
群  始面    焦点距離  
1    1      41.07  
2    6      -6.74  
3   12      10.27  
4   19     -23.73  
5   21      23.41  
6   24       ∞  
【００５９】
［数値実施例２］
単位 mm
面データ
面番号       r        d      nd         νd
1         40.508    1.10   1.84666    23.9           
2         26.505    2.85   1.49700    81.5           
3        117.405    0.20                             
4         28.036    2.30   1.69680    55.5           
5        115.344  (可変)                             
6        496.060    0.80   1.83481    42.7           
7          6.978    3.11                             
8        -19.492    0.65   1.69680    55.5           
9         27.002    0.95                             
10         17.132    1.30   1.94595    18.0           
11         86.758  (可変)                             
12(絞り)    ∞       1.10                             
13*         6.129    2.60   1.55332    71.7           
14*       -19.640    1.44                             
15         30.262    0.70   1.80610    33.3           
16          5.458    0.36                             
17          7.690    2.20   1.48749    70.2           
18         43.575  (可変)                             
19         16.720    2.50   1.65844    50.9           
20        -30.217    0.80   1.84666    23.9           
21       -745.365  (可変)                             
22          ∞       0.80   1.51633    64.1           
23          ∞       0.23                             
像面        ∞   
非球面データ
第13面
K = 8.82654e-002  A 4=-3.72261e-004  A 6=-6.26683e-006  A 8= 7.60386e-007  A10=-1.17611e-008  
第14面
K =-1.54914e+001  A 4= 1.11231e-004  A 6= 9.16897e-006  A 8= 4.07239e-007  A10= 2.20754e-008  
各種データ
ズーム比     11.41 
広角     中間     望遠
焦点距離       5.13    27.84    58.49  
Fナンバー      3.43     4.75     5.72  
画角          33.64     7.92     3.79  
像高           3.41     3.88     3.88  
レンズ全長    58.03    68.24    80.67  
BF             5.83    14.87     8.72  
d 5            0.85    19.50    26.21  
d11           20.70     3.30     1.55  
d18            5.69     5.62    19.24  
d21            4.90    13.94     7.79  
ズームレンズ群データ
群  始面    焦点距離  
1    1      44.91  
2    6      -7.55  
3   12      13.79  
4   19      28.92  
5   22       ∞    
【００６０】
［数値実施例３］
単位 mm
面データ
面番号       r        d      nd         νd
1         46.369    0.90   1.84666    23.9           
2         27.571    2.50   1.43875    94.9           
3        559.981    0.20                             
4         30.024    1.95   1.77250    49.6           
5        181.678  (可変)                             
6       1208.784    1.03   1.85135    40.1           
7*         5.930    2.52                             
8        -37.450    0.60   1.80400    46.6           
9         24.691    0.20                             
10         10.171    1.00   2.15000    15.0           
11         18.413  (可変)                             
12*         7.811    1.40   1.58313    59.4           
13*       -47.243    0.92                             
14(絞り)    ∞       1.48                             
15         14.957    0.60   1.94595    18.0           
16          7.736    0.51                             
17         30.949    1.45   1.60311    60.6           
18         -9.935  (可変)                             
19        -22.814    0.50   1.48749    70.2           
20         27.914  (可変)                             
21         14.636    2.00   1.69680    55.5           
22       -213.155    0.60   1.72825    28.5           
23         80.738  (可変)                             
24          ∞       0.80   1.51633    64.1           
25          ∞       0.90                             
像面        ∞   
非球面データ
第7面
K =-1.06717e+000  A 4= 6.59232e-004  A 6= 1.99244e-005  A 8=-6.18757e-007  A10= 2.60294e-008  
第12面
K =-1.58528e+000  A 4= 6.04929e-005  A 6= 3.14605e-006  A 8= 4.09286e-006  A10=-3.60415e-007  
第13面
K =-1.45184e+002  A 4=-4.52161e-005  A 6= 1.30432e-005  A 8= 3.34384e-006  A10=-3.15471e-007  
各種データ
ズーム比     13.82 
広角     中間     望遠
焦点距離       4.96    16.36    68.60  
Fナンバー      3.36     4.65     6.09  
画角          33.88    13.33     3.23  
像高           3.33     3.88     3.88  
レンズ全長    48.67    55.53    74.48  
BF             6.49    13.36     7.17  
d 5            0.80    10.94    25.72  
d11           16.55     4.87     0.47  
d18            1.90     1.84     2.50  
d20            2.57     4.15    18.26  
d23            5.06    11.93     5.75  
ズームレンズ群データ
群  始面    焦点距離  
1    1      41.50  
2    6      -6.86  
3   12      10.21  
4   19     -25.67  
5   21      25.57  
6   24       ∞    
【００６１】
［数値実施例４］
単位 mm
面データ
面番号       r        d      nd         νd
1         40.829    0.90   1.84666    23.9           
2         28.443    2.80   1.45600    90.3           
3       -111.369    0.20                             
4         28.907    1.60   1.60311    60.6           
5         74.324  (可変)                             
6        -62.226    1.03   1.85135    40.1           
7*         6.063    2.28                             
8        -23.222    0.60   1.80400    46.6           
9         28.259    0.20                             
10         12.482    1.40   2.14352    17.8           
11         41.723  (可変)                             
12*         7.730    1.40   1.58313    59.4           
13*       -44.307    0.92                             
14(絞り)    ∞       1.48                             
15         14.928    0.60   1.94595    18.0           
16          7.828    0.51                             
17         44.931    1.45   1.60311    60.6           
18        -10.044  (可変)                             
19        -20.840    0.50   1.48749    70.2           
20         39.734  (可変)                             
21         15.540    2.00   1.69680    55.5           
22        -31.360    0.60   1.72825    28.5           
23      -2306.962  (可変)                             
24          ∞       0.80   1.51633    64.1           
25          ∞       0.90                             
像面        ∞   
非球面データ
第7面
K =-8.76488e-001  A 4= 4.28897e-004  A 6= 1.21461e-005  A 8=-2.23456e-007  A10= 7.87605e-009  
第12面
K =-1.39680e+000  A 4= 2.06320e-004  A 6= 1.68052e-005  A 8= 1.98340e-006  A10=-1.05023e-007  
第13面
K =-1.22659e+002  A 4= 1.72540e-004  A 6= 2.21046e-005  A 8= 2.00595e-006  A10=-9.89895e-008  
各種データ
ズーム比     13.54 
広角     中間     望遠
焦点距離       5.07    14.88    68.60  
Fナンバー      3.37     4.32     6.09  
画角          33.33    14.60     3.23  
像高           3.33     3.88     3.88  
レンズ全長    49.91    56.87    77.21  
BF             5.73    12.88     7.79  
d 5            1.20    10.84    25.80  
d11           16.27     5.10     0.28  
d18            1.90     1.12     3.26  
d20            4.34     6.46    19.60  
d23            4.30    11.46     6.36  
ズームレンズ群データ
群  始面    焦点距離  
1    1      42.00  
2    6      -6.67  
3   12      10.41  
4   19     -27.97  
5   21      22.63  
6   24       ∞    
【００６２】
［数値実施例５］
単位 mm
面データ
面番号       r        d      nd         νd
1         41.069    1.10   1.84666    23.9           
2         26.300    2.85   1.49700    81.5           
3        121.593    0.20                             
4         26.171    2.30   1.69680    55.5           
5         94.129  (可変)                             
6        110.635    0.80   1.83481    42.7           
7          6.355    3.11                             
8        -15.251    0.65   1.69680    55.5           
9         65.380    0.95                             
10         17.018    1.30   2.00000    16.0           
11         53.947  (可変)                             
12(絞り)    ∞       1.10                             
13*         6.428    2.60   1.55332    71.7           
14*       -16.276    1.44                             
15         43.996    0.70   1.80610    33.3           
16          6.230  (可変)                             
17         11.376    2.20   1.48749    70.2           
18       -380.889  (可変)                             
19         19.187    2.50   1.65844    50.9           
20        -19.742    0.80   1.84666    23.9           
21       -109.516  (可変)                             
22          ∞       0.80   1.51633    64.1           
23          ∞       0.40                             
像面        ∞   
非球面データ
第13面
K =-7.75765e-002  A 4=-3.85283e-004  A 6= 5.74360e-006  A 8=-6.92005e-007  A10= 8.51546e-008  
第14面
K =-9.64194e+000  A 4=-2.31393e-005  A 6= 1.79539e-005  A 8=-9.53438e-007  A10= 1.11464e-007  
各種データ
ズーム比     12.27 
広角     中間     望遠
焦点距離       5.13    27.56    63.00  
Fナンバー      3.50     4.63     5.97  
画角          33.59     8.00     3.52  
像高           3.41     3.88     3.88  
レンズ全長    60.48    70.69    83.12  
BF             6.14    15.43     8.28  
d 5            0.85    19.50    26.21  
d11           20.70     3.30     1.55  
d16            2.50     1.50     0.50  
d18            5.69     6.37    21.98  
d21            5.21    14.50     7.36  
ズームレンズ群データ
群  始面    焦点距離  
1    1      44.45  
2    6      -7.29  
3   12      22.27  
4   17      22.70  
5   19      30.75  
6   22       ∞    
【００６３】
【表１】
0005538873.tif 000003
【００６４】
次に各実施例に示したようなズームレンズを撮影光学系として用いたデジタルスチルカメラの実施形態を図１１を用いて説明する。図１１において、２０はカメラ本体、２１は参考例１、２、実施例１乃至３で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【符号の説明】
【００６５】
Ｌ１は第１レンズ群、Ｌ２は第２レンズ群、Ｌ３は第３レンズ群、Ｌ４は第４レンズ群、Ｌ５は第５レンズ群、Ｌｒは後群、ｄはｄ線、ｇはｇ線、ΔＭはメリディオナル像面、ΔＳはサジタル像面、ＳＰは絞り、ＧはＣＣＤのフォースプレートやローパスフィルター等のガラスブロック、ωは半画角、ｆｎｏはＦナンバー
【図１】
0005538873.tif 000004
【図２】
0005538873.tif 000005
【図３】
0005538873.tif 000006
【図４】
0005538873.tif 000007
【図５】
0005538873.tif 000008
【図６】
0005538873.tif 000009
【図７】
0005538873.tif 000010
【図８】
0005538873.tif 000011
【図９】
0005538873.tif 000012
【図１０】
0005538873.tif 000013
【図１１】
0005538873.tif 000014